【手続補正書】
【提出日】平成28年7月5日(2016.7.5)
【手続補正１】
【補正対象書類名】特許請求の範囲
【補正対象項目名】全文
【補正方法】変更
【補正の内容】
【特許請求の範囲】
【請求項１】
ｔｉｍｅ  ｄｉｖｉｓｉｏｎ  ｄｕｐｌｅｘｉｎｇ（ＴＤＤ）再構成を通知するダウンリンク制御情報（ＤＣＩ）フォーマットに所定値を加え、
前記ＤＣＩフォーマットをユーザ機器に送信する、
無線通信システム内で用いられる基地局で実行される通信方法。
【請求項２】
ｔｉｍｅ  ｄｉｖｉｓｉｏｎ  ｄｕｐｌｅｘｉｎｇ（ＴＤＤ）再構成を通知するダウンリンク制御情報（ＤＣＩ）フォーマットを基地局から受信し、
所定値が前記ＤＣＩフォーマットに加えられている、
無線通信システム内で用いられるユーザ機器で実行される通信方法。
【請求項３】
巡回冗長検査（ＣＲＣ）が、前記ＤＣＩフォーマットのためのｅｎｈａｎｃｅｄ  ｉｎｔｅｒｆｅｒｅｎｃｅ  ｍａｎａｇｅｍｅｎｔ  ａｎｄ  ｔｒａｆｆｉｃ  ａｄａｐｔａｔｉｏｎ（ｅＩＭＴＡ）−ｒａｄｉｏ  ｎｅｔｗｏｒｋ  ｔｅｍｐｏｒａｒｙ  ｉｄｅｎｔｉｆｉｅｒ（ＲＮＴＩ）によりスクランブルされる、
請求項１又は２に記載の通信方法。
【請求項４】
前記ＤＣＩフォーマットは、共通検索領域内で送信されたＤＣＩフォーマット１Ｃを含む、
請求項１又は２に記載の通信方法。
【請求項５】
ｕｐｌｉｎｋ（ＵＬ）−ｄｏｗｎｌｉｎｋ（ＤＬ）構成の指示は、無線フレーム内の第１の固定されたＤＬサブフレームで送信される、
請求項１又は２に記載の通信方法。
【請求項６】
前記指示は前記ＤＣＩフォーマット内にある、
請求項５に記載の通信方法。
【請求項７】
前記指示は間隔を置いて繰り返される、
請求項５に記載の通信方法。
【請求項８】
前記間隔は１０ｍｓである、
請求項７に記載の通信方法。
【請求項９】
前記間隔は１０ｍｓより長い、
請求項７に記載の通信方法。
【請求項１０】
前記ユーザ機器が、前記ＤＣＩフォーマットのためのｅｎｈａｎｃｅｄ  ｉｎｔｅｒｆｅｒｅｎｃｅ  ｍａｎａｇｅｍｅｎｔ  ａｎｄ  ｔｒａｆｆｉｃ  ａｄａｐｔａｔｉｏｎ（ｅＩＭＴＡ）−ｒａｄｉｏ  ｎｅｔｗｏｒｋ  ｔｅｍｐｏｒａｒｙ  ｉｄｅｎｔｉｆｉｅｒ（ＲＮＴＩ）によりスクランブルされた巡回冗長検査（ＣＲＣ）を伴う物理ダウンリンク制御チャネル（ＰＤＤＣＨ）の検出に成功しなかった場合に、前記ユーザ機器はフォールバックソリューションをフォローする、
請求項１又は２に記載の通信方法。
【請求項１１】
ｔｉｍｅ  ｄｉｖｉｓｉｏｎ  ｄｕｐｌｅｘｉｎｇ（ＴＤＤ）再構成を通知するダウンリンク制御情報（ＤＣＩ）フォーマットをユーザ機器に送信する送信機を備え、
所定値が前記ＤＣＩフォーマットに加えられている、
無線通信システムで用いられる基地局。
【請求項１２】
ｔｉｍｅ  ｄｉｖｉｓｉｏｎ  ｄｕｐｌｅｘｉｎｇ（ＴＤＤ）再構成を通知するダウンリンク制御情報（ＤＣＩ）フォーマットを基地局から受信する受信機を備え、
所定値が前記ＤＣＩフォーマットに加えられている、
無線通信システムで用いられるユーザ機器。
【請求項１３】
ｔｉｍｅ  ｄｉｖｉｓｉｏｎ  ｄｕｐｌｅｘｉｎｇ（ＴＤＤ）再構成を通知するダウンリンク制御情報（ＤＣＩ）フォーマットに所定値を加え、
前記ＤＣＩフォーマットを基地局からユーザ機器に送信する、
無線通信システムで実行される通信方法。
【請求項１４】
ユーザ機器と、
ｔｉｍｅ  ｄｉｖｉｓｉｏｎ  ｄｕｐｌｅｘｉｎｇ（ＴＤＤ）再構成を通知するダウンリンク制御情報（ＤＣＩ）フォーマットを前記ユーザ機器に送信する基地局と、を備え、
所定値が前記ＤＣＩフォーマットに加えられている、
無線通信システム。
【手続補正２】
【補正対象書類名】明細書
【補正対象項目名】発明の名称
【補正方法】変更
【補正の内容】
【発明の名称】通信方法、基地局、ユーザ機器及び無線通信システム
【手続補正３】
【補正対象書類名】明細書
【補正対象項目名】００５４
【補正方法】変更
【補正の内容】
【００５４】
（１）少なくとも１つのダウンリンク制御情報（ＤＣＩ）フィールドに少なくとも１つの所定値を割り当てることにより、巡回冗長検査（ＣＲＣ）情報を延長すること、を含む、誤検出を削減するための無線通信システムでの制御シグナリング方法。
（２）前記ＤＣＩフィールドはリソースブロック割り当て内に含まれている、項目（１）に記載の方法。
（３）前記所定値は、他に用いられない１又はより上位ビットの使用を含む、項目（２）に記載の方法。
（４）前記リソースブロック割り当ての３つの最上位ビットは、前記延長されたＣＲＣを指定するために「１１１」に設定される、項目（３）に記載の方法。
（５）前記通信システムは、フレキシブルなｔｉｍｅ  ｄｉｖｉｓｉｏｎ  ｄｕｐｌｅｘ（ＴＤＤ）ｕｐｌｉｎｋ−ｄｏｗｎｌｉｎｋ（ＵＬ−ＤＬ）構成をサポートするＬＴＥ又はＬＴＥ−Ａシステムである、項目（１）に記載の方法。
（６）繰り返されるｆａｓｔ  ＴＤＤ  ｃｏｎｆｉｇｕｒａｔｉｏｎ  ｉｎｄｉｃａｔｉｏｎ（ＦＣＩ）の検出に対応して、検出されたＦＣＩに関連する手続きに従ってユーザ機器（ＵＥ）が動作することを可能にすることでフレーム区間を再構成することを更に含む、項目（１）−（５）のいずれか１項に記載の方法。
（７）第１のユーザ機器（ＵＥ）において、前記ＤＣＩフィールドの前記所定値の検出で物理ダウンリンク制御チャネル（ＰＤＣＣＨ）を切り捨てる、
項目（１）−（５）のいずれか１項に記載の方法。
（８）長期のＴＤＤ  ＵＬ−ＤＬ構成に従って動作する第１のユーザ機器（ＵＥ）で用いられる長期のＴＤＤ  ＵＬ−ＤＬ構成指示と、短期のＴＤＤ  ＵＬ−ＤＬ構成に従って動作可能な第２のＵＥで用いられる短期のＴＤＤ  ＵＬ−ＤＬ構成指示と、を送信するように動作可能な少なくとも１つの基地局を備え、前記短期のＴＤＤ  ＵＬ−ＤＬ構成指示は、ダウンリンク制御情報（ＤＣＩ）フォーマットで送信され、巡回冗長検査（ＣＲＣ）は、前記ＤＣＩの少なくとも１つの既存のフィールドを利用することにより仮想的に延長され、前記フィールドには少なくとも１つの所定値が割り当てられており、前記仮想的に延長されたＣＲＣは、前記第１のＵＥにより利用されず、前記第２のＵＥにより利用される、無線通信システム。
（９）前記通信システムはＬＴＥ又はＬＴＥ−Ａシステムであり、前記基地局は、ＬＴＥリリース１１又はより高次のＬＴＥリリースに従った動作用に構成されると共に、より低次のリリースとの上位互換性を有する、項目（８）に記載の通信システム。
（１０）前記基地局はｅｖｏｌｖｅｄ  ＮｏｄｅＢ（ｅＮｏｄｅＢ）であり、少なくともリリース１０、リリース９及びリリース８との上位互換性を有する、項目（９）に記載の通信システム。
（１１）前記基地局は、第１のＵＥ及び第２のＵＥのための、適切な長期及び短期のＴＤＤ  ＵＬ−ＤＬ構成を選択するためのＴＤＤ構成切り替えアルゴリズムを実行するとき、制限されていないタイムフレームで観測されるＵＬ−ＤＬトラフィック比率を考慮に入れたＴＤＤ再構成処理を実行する、項目（８）から（１０）のいずれか１項に記載の通信システム。
（１２）前記ＤＣＩの前記利用される既存のフィールドは、他では使用されず、そこに含まれる前記情報を伝える必要がない、項目（８）から（１０）のいずれか１項に記載の通信システム。
（１３）前記ＤＣＩフィールドはリソースブロック割り当て内に含まれている、項目（８）から（１０）のいずれか１項に記載の通信システム。
（１４）前記所定値は、他に用いられない１又はより上位ビットの使用を含む、項目（１３）に記載の通信システム。
（１５）前記リソースブロック割り当ての３つの最上位ビットは、前記仮想的に延長されたＣＲＣを指定するために「１１１」に設定される、項目（１４）に記載の通信システム。
（１６）繰り返されるｆａｓｔ  ＴＤＤ  ｃｏｎｆｉｇｕｒａｔｉｏｎ  ｉｎｄｉｃａｔｉｏｎ（ＦＣＩ）の検出に対応して、検出されたＦＣＩに関連する手続きに従って前記第２のＵＥが動作する、項目（８）ないし（１０）のいずれか１項に記載の通信システム。
（１７）前記第１のＵＥは、前記ＤＣＩフィールドの前記所定値の検出で物理ダウンリンク制御チャネル（ＰＤＣＣＨ）又は拡張物理ダウンリンク制御チャネル（ＥＰＤＣＣＨ）を切り捨てる、項目（８）ないし（１０）のいずれか１項に記載の通信システム。
（１８）基地局から、長期のＴＤＤ  ＵＬ−ＤＬ構成に従って動作する第１のユーザ機器（ＵＥ）で用いられる長期のＴＤＤ  ＵＬ−ＤＬ構成指示と、短期のＴＤＤ  ＵＬ−ＤＬ構成に従って動作可能な第２のＵＥで用いられる短期のＴＤＤ  ＵＬ−ＤＬ構成指示と、を送信すること、及び、前記短期のＴＤＤ  ＵＬ−ＤＬ構成指示をダウンリンク制御情報（ＤＣＩ）フォーマットで送信すること、を備え、巡回冗長検査（ＣＲＣ）は、前記ＤＣＩの少なくとも１つの既存のフィールドを利用することにより仮想的に延長され、前記フィールドには少なくとも１つの所定値が割り当てられており、前記仮想的に延長されたＣＲＣは、前記第１のＵＥにより利用されず、前記第２のＵＥにより利用される、無線通信システムにおける制御シグナリングの方法。
（１９）繰り返されるｆａｓｔ  ＴＤＤ  ｃｏｎｆｉｇｕｒａｔｉｏｎ  ｉｎｄｉｃａｔｉｏｎ（ＦＣＩ）の検出に対応して、検出されたＦＣＩに関連する手続きに従って前記第２のＵＥが動作する、項目（１８）に記載の方法。
（２０）前記第１のＵＥは、前記ＤＣＩフィールドの前記所定値の検出で物理ダウンリンク制御チャネル（ＰＤＣＣＨ）又は拡張物理ダウンリンク制御チャネル（ＥＰＤＣＣＨ）を切り捨てる、項目（１８）又は項目（１９）に記載の方法。
（２１）少なくとも一部の前記第２のＵＥは、長期のＴＤＤ  ＵＬ−ＤＬ構成に従って動作することが更にできる、項目（１８）又は項目（１９）に記載の方法。
（２２）前記ＣＲＣは、高速のＴＤＤ  ＵＬ−ＤＬ再構成の目的のために前記ＤＣＩが用いられることを示すものとして前記第２のＵＥがみなすｒａｄｉｏ  ｎｅｔｗｏｒｋ  ｔｅｍｐｏｒａｒｙ  ｉｄｅｎｔｉｆｉｅｒ（ＲＮＴＩ）を用いてスクランブルされる、項目（１８）又は項目（１９）に記載の方法。
（２３）前記ＲＮＴＩは予め定義されていると共に、［ＦＦＦ４：ＦＦＦＣ］の範囲内の値を有する、項目（２２）に記載の方法。
（２４）長期のＴＤＤ  ＵＬ−ＤＬ構成に従って動作する第１のユーザ機器（ＵＥ）で用いられる長期のＴＤＤ  ＵＬ−ＤＬ構成指示と、短期のＴＤＤ  ＵＬ−ＤＬ構成に従って動作可能な第２のＵＥで用いられる短期のＴＤＤ  ＵＬ−ＤＬ構成指示と、を受信するように構成され、前記短期のＴＤＤ  ＵＬ−ＤＬ構成指示は、ダウンリンク制御情報（ＤＣＩ）フォーマットで送信され、巡回冗長検査（ＣＲＣ）は、前記ＤＣＩの少なくとも１つの既存のフィールドを利用することにより仮想的に延長され、前記フィールドには少なくとも１つの所定値が割り当てられており、前記仮想的に延長されたＣＲＣは、前記第１のＵＥにより利用されず、前記第２のＵＥにより利用される、ユーザ機器（ＵＥ）。
（２５）基地局から、長期のＴＤＤ  ＵＬ−ＤＬ構成に従って動作する第１のユーザ機器（ＵＥ）で用いられる長期のＴＤＤ  ＵＬ−ＤＬ構成指示と、短期のＴＤＤ  ＵＬ−ＤＬ構成に従って動作可能な第２のＵＥで用いられる短期のＴＤＤ  ＵＬ−ＤＬ構成指示と、を受信すること、及び、前記短期のＴＤＤ  ＵＬ−ＤＬ構成指示をダウンリンク制御情報（ＤＣＩ）フォーマットで受信すること、を備え、巡回冗長検査（ＣＲＣ）は、前記ＤＣＩの少なくとも１つの既存のフィールドを利用することにより仮想的に延長され、前記フィールドには少なくとも１つの所定値が割り当てられており、前記仮想的に延長されたＣＲＣは、前記第１のＵＥにより利用されず、前記第２のＵＥにより利用される、無線通信システムで用いられるユーザ機器（ＵＥ）で実行される方法。
（２６）少なくとも１つのダウンリンク制御情報（ＤＣＩ）フィールドに少なくとも１つの所定値を割り当てることにより、巡回冗長検査（ＣＲＣ）情報を延長すること、を含む、誤検出を削減するための無線通信システムでの制御シグナリング方法。
（２７）前記ＤＣＩフィールドはリソースブロック割り当て内に含まれている、項目（２６）に記載の方法。
（２８）前記所定値は、他に用いられない１又はより上位オーダーのビットの使用を含む、項目（２７）に記載の方法。
（２９）前記リソースブロック割り当ての３つの最上位ビットは、前記延長されたＣＲＣを指定するために「１１１」に設定される、項目（２８）に記載の方法。
（３０）前記通信システムは、フレキシブルなｔｉｍｅ  ｄｉｖｉｓｉｏｎ  ｄｕｐｌｅｘ（ＴＤＤ）ｕｐｌｉｎｋ−ｄｏｗｎｌｉｎｋ（ＵＬ−ＤＬ）構成をサポートするＬＴＥ又はＬＴＥ−Ａシステムである、項目（２７）から（２９）のいずれか１項に記載の方法。
（３１）繰り返されるｆａｓｔ  ＴＤＤ  ｃｏｎｆｉｇｕｒａｔｉｏｎ  ｉｎｄｉｃａｔｉｏｎ（ＦＣＩ）の検出に対応して、検出されたＦＣＩに関連する手続きに従ってユーザ機器（ＵＥ）が動作することを可能にすることでフレーム区間を再構成することを更に含む、項目（２６）から（３０）のいずれか１項に記載の方法。
（３２）長期のユーザ機器（ＵＥ）が、前記ＤＣＩフィールドの前記所定値の検出で物理ダウンリンク制御チャネル（ＰＤＣＣＨ）を切り捨てる、
項目（２６）から（３１）のいずれか１項に記載の方法。
（３３）長期のＴＤＤ  ＵＬ−ＤＬ構成に従って動作する第１のユーザ機器（ＵＥ）で用いられる長期のＴＤＤ  ＵＬ−ＤＬ構成指示と、また、短期のＴＤＤ  ＵＬ−ＤＬ構成に従って動作可能な第２のＵＥで用いられる短期のＴＤＤ  ＵＬ−ＤＬ構成指示と、を送信するように動作可能な少なくとも１つの基地局を備え、前記短期のＴＤＤ  ＵＬ−ＤＬ構成指示は、ダウンリンク制御情報（ＤＣＩ）フォーマットで送信され、巡回冗長検査（ＣＲＣ）は、前記ＤＣＩの少なくとも１つの既存のフィールドを利用することにより仮想的に延長され、前記フィールドには少なくとも１つの所定値が割り当てられており、前記仮想的に延長されたＣＲＣは、前記第１のＵＥにより利用されず、前記第２のＵＥにより利用される、フレキシブルなＴＤＤ  ｕｐｌｉｎｋ−ｄｏｗｎｌｉｎｋ（ＵＬ−ＤＬ）構成をサポートする無線通信システム。
（３４）前記通信システムはＬＴＥ又はＬＴＥ−Ａシステムであり、前記基地局は、ＬＴＥリリース１１又はより高次のＬＴＥリリースに従った動作用に構成されると共に、より低次のリリースとの上位互換性を有する、項目（３３）に記載の通信システム。
（３５）前記基地局はｅｖｏｌｖｅｄ  ＮｏｄｅＢ（ｅＮｏｄｅＢ）であり、少なくともリリース１０、リリース９及びリリース８との上位互換性を有する、項目（３４）に記載の通信システム。
（３６）前記基地局は、レガシーＵＥと、リリース１１及びそれ以降のＵＥとのための、適切な長期及び短期のＴＤＤ  ＵＬ−ＤＬ構成を選択するためのＴＤＤ構成切り替えアルゴリズムを実行するとき、制限されていないタイムフレームで観測されるＵＬ−ＤＬトラフィック比率を考慮に入れたＴＤＤ再構成処理を実行する、項目（３３）から（３５）のいずれか１項に記載の通信システム。
（３７）前記ＤＣＩの前記利用される既存のフィールドは、他では使用されず、そこに含まれる前記情報を伝える必要がない、項目（３３）から（３６）のいずれか１項に記載の通信システム。
（３８）前記ＤＣＩフィールドはリソースブロック割り当て内に含まれている、項目（３３）から（３７）のいずれか１項に記載の通信システム。
（３９）前記所定値は、他に用いられない１又はより上位オーダーのビットの使用を含む、項目（３８）に記載の通信システム。
（４０）前記リソースブロック割り当ての３つの最上位ビットは、前記仮想的に延長されたＣＲＣを指定するために「１１１」に設定される、項目（３９）に記載の通信システム。
（４１）繰り返されるｆａｓｔ  ＴＤＤ  ｃｏｎｆｉｇｕｒａｔｉｏｎ  ｉｎｄｉｃａｔｉｏｎ（ＦＣＩ）の検出に対応して、検出されたＦＣＩに関連する手続きに従って前記第２のＵＥが動作する、項目（３３）ないし（４０）のいずれか１項に記載の通信システム。
（４２）前記第１のＵＥは、前記ＤＣＩフィールドの前記所定値の検出で物理ダウンリンク制御チャネル（ＰＤＣＣＨ）又は拡張物理ダウンリンク制御チャネル（ＥＰＤＣＣＨ）を切り捨てる、項目（３３）ないし（４１）のいずれか１項に記載の通信システム。
（４３）基地局から、長期のＴＤＤ  ＵＬ−ＤＬ構成に従って動作する第１のユーザ機器（ＵＥ）で用いられる長期のＴＤＤ  ＵＬ−ＤＬ構成指示と、また、短期のＴＤＤ  ＵＬ−ＤＬ構成に従って動作可能な第２のＵＥで用いられる短期のＴＤＤ  ＵＬ−ＤＬ構成指示と、を送信すること、及び、前記短期のＴＤＤ  ＵＬ−ＤＬ構成指示をダウンリンク制御情報（ＤＣＩ）フォーマットで送信すること、を備え、巡回冗長検査（ＣＲＣ）は、前記ＤＣＩの少なくとも１つの既存のフィールドを利用することにより仮想的に延長され、前記フィールドには少なくとも１つの所定値が割り当てられており、前記仮想的に延長されたＣＲＣは、前記第１のＵＥにより利用されず、前記第２のＵＥにより利用される、フレキシブルなＴＤＤ  ＵＬ−ＤＬ構成をサポートする無線通信システムにおける制御シグナリングの方法。
（４４）繰り返されるｆａｓｔ  ＴＤＤ  ｃｏｎｆｉｇｕｒａｔｉｏｎ  ｉｎｄｉｃａｔｉｏｎ（ＦＣＩ）の検出に対応して、検出されたＦＣＩに関連する手続きに従って前記第２のＵＥが動作する、項目（４３）に記載の方法。
（４５）前記第１のＵＥは、前記ＤＣＩフィールドの前記所定値の検出で物理ダウンリンク制御チャネル（ＰＤＣＣＨ）又は拡張物理ダウンリンク制御チャネル（ＥＰＤＣＣＨ）を切り捨てる、項目（４３）又は項目（４４）に記載の方法。
（４６）少なくとも一部の前記第２のＵＥは、長期のＴＤＤ  ＵＬ−ＤＬ構成に従って動作することが更にできる、項目（４３）から項目（４５）のいずれか１項に記載の方法。
（４７）前記ＣＲＣは、高速のＴＤＤ  ＵＬ−ＤＬ再構成の目的のために前記ＤＣＩが用いられることを示すものとして前記第２のＵＥがみなすＲａｄｉｏ  Ｎｅｔｗｏｒｋ  Ｔｅｍｐｏｒａｒｙ  Ｉｄｅｎｔｉｆｉｅｒ（ＲＮＴＩ）を用いてスクランブルされる、項目（４３）から項目（４６）に記載の方法。
（４８）前記ＲＮＴＩは予め定義されていると共に、［ＦＦＦ４：ＦＦＦＣ］の範囲内の値を有する、項目（４７）に記載の方法。